(57)【要約】【課題】  信頼性の高い電流遮断機構を有する密閉型電池を提供すること。【解決手段】  本発明の密閉型電池は，電池ケースの外部に露出している外部端子と，電極体から外部端子までの間に設けられた電流遮断機構とを有する。電流遮断機構は，電極体に接続されている内部端子と，電池ケースの内部で開口する凹部が形成されている導電性の接続部材と，接続部材の開口を塞いで凹部とともに第２の空間を形成している反転板とを有する。また，反転板は，導通状態では，第２の空間から第１の空間へ向かう向きに，内部端子に接触するまで突出している突出部が形成されている。一方，遮断状態では，突出部の部分が，第１の空間から第２の空間へ向かう向きに変形する反転により，導電経路を切断する。さらに，反転板には，第１の空間から第２の空間まで連通する微小孔が形成されている。【選択図】図３
2017152234.tif 000002
【特許請求の範囲】
【請求項１】
電解液と，
正負の電極板により構成された電極体と，
前記電解液および前記電極体を内部に収容している電池ケースと，
前記電池ケースの外部に露出している外部端子と，
前記電極体から前記外部端子までの間に設けられ，前記電池ケースの内圧が通常範囲内であるときには，前記電極体から前記外部端子までの間に導電経路を形成する導通状態をとり，前記電池ケースの内圧が前記通常範囲の上限値よりも高くなったときには，前記導電経路を切断して導通を遮断する遮断状態をとる電流遮断機構とを有する密閉型電池において，
前記電流遮断機構は，
前記電池ケースの内部空間である第１の空間内に位置し，前記電極体に接続されている導電性の内部端子と，
前記外部端子に接続されているとともに，前記電池ケースの内部で開口する凹部が形成されている導電性の接続部材と，
前記接続部材の前記開口を塞いで，前記凹部とともに第２の空間を形成しており，前記導通状態では，前記第２の空間から前記第１の空間へ向かう向きに，前記内部端子に接触するまで突出している突出部が形成されており，前記遮断状態では，前記突出部の部分が，前記第１の空間から前記第２の空間へ向かう向きに変形する反転により，前記導電経路を切断する導電性の反転板とを有し，
前記反転板は，
前記第１の空間から前記第２の空間まで連通する微小孔が形成されているものであることを特徴とする密閉型電池。
【発明の詳細な説明】
【技術分野】
【０００１】
本発明は，密閉型電池に関する。より詳細には，電流遮断機構（ＣＩＤ：Ｃｕｒｒｅｎｔ  Ｉｎｔｅｒｒｕｐｔ  Ｄｅｖｉｃｅ）を備える密閉型電池に関するものである。
【背景技術】
【０００２】
従来より，密閉型の二次電池では，何らかの異常によって電池の内圧が通常範囲を超えて上昇してしまうことがある。そこで，通常範囲よりも高い内圧で作動するＣＩＤを備えた二次電池がある。このようなＣＩＤを備えた二次電池の先行技術文献として，例えば，特許文献１が挙げられる。
【０００３】
特許文献１には，電池ケースの外部に露出している外部端子と電池ケース内部に収容されている電極体との間の導電経路に，ＣＩＤを有する二次電池について記載されている。特許文献１に記載されているＣＩＤは，反転板を有するものである。具体的には，ＣＩＤは，凹部が形成されている部材と反転板とを有し，凹部の開口を反転板により塞いだ構成のものである。このため，反転板が凹部の開口を塞いでいることにより，凹部の内部空間は，電池ケースの内部空間から区画されている。また，反転板は，凹部の内部空間から電池ケースの内部空間に向けて突出する突出部を有している。反転板の突出部は，内部端子に接触した状態で，内部端子と接合されている。また，内部端子は，電極体に接続されている。
【０００４】
そして，電池ケースの内部空間の圧力が通常範囲を超えて上昇した内圧異常時には，電池ケースの内部空間と凹部の内部空間との差圧により，反転板の突出部の部分が，凹部の内部空間側へと引っ込むように変形する反転が生じるようにされている。この反転板の反転に伴って内部端子に設けられている破断部が破断することにより，ＣＩＤが作動する。これにより，内部端子の破断位置での導電経路が切断され，それ以上，電池が充放電されることがないようになされている。
【先行技術文献】
【特許文献】
【０００５】
【特許文献１】特開２０１３−１５７１０４号公報
【発明の概要】
【発明が解決しようとする課題】
【０００６】
ところで，内圧異常が生じていない電池においても，電池ケースの内部空間の圧力は，通常範囲内において上昇することがある。電池ケースの内部空間の圧力が上昇することにより，電池ケースの内部空間と凹部の内部空間との差圧は大きくなる。このため，電池ケースの内部空間の圧力が通常範囲内で上昇した場合に，反転板は，その電池ケースの内部空間側の面より力が掛かった状態となる。これにより，反転板は，反転が生じないものの，凹部の内部空間側へと撓むこととなる。
【０００７】
そして，反転板が凹部の内部空間側へ撓んだ状態が続いた場合，ＣＩＤが適切に作動しなくなってしまうおそれがあった。すなわち，反転板が凹部の内部空間側へ撓んでいるとき，反転板に接合されている内部端子についても，凹部の内部空間側へと引っ張られる。この反転板の引っ張りにより，ＣＩＤの作動時に破断する内部端子の破断部は，負荷がかかった状態となる。また，内部端子の破断部は，負荷がかかった状態が続いた場合には，疲労が蓄積し，電池ケースの内部空間の圧力が通常範囲内であるにも関わらず，破断してしまうことがあった。
【０００８】
本発明は，前記した従来の技術が有する問題点の解決を目的としてなされたものである。すなわちその課題とするところは，信頼性の高い電流遮断機構を有する密閉型電池を提供することである。
【課題を解決するための手段】
【０００９】
この課題の解決を目的としてなされた本発明の密閉型電池は，電解液と，正負の電極板により構成された電極体と，電解液および電極体を内部に収容している電池ケースと，電池ケースの外部に露出している外部端子と，電極体から外部端子までの間に設けられ，電池ケースの内圧が通常範囲内であるときには，電極体から外部端子までの間に導電経路を形成する導通状態をとり，電池ケースの内圧が通常範囲の上限値よりも高くなったときには，導電経路を切断して導通を遮断する遮断状態をとる電流遮断機構とを有する密閉型電池において，電流遮断機構は，電池ケースの内部空間である第１の空間内に位置し，電極体に接続されている導電性の内部端子と，外部端子に接続されているとともに，電池ケースの内部で開口する凹部が形成されている導電性の接続部材と，接続部材の開口を塞いで，凹部とともに第２の空間を形成しており，導通状態では，第２の空間から第１の空間へ向かう向きに，内部端子に接触するまで突出している突出部が形成されており，遮断状態では，突出部の部分が，第１の空間から第２の空間へ向かう向きに変形する反転により，導電経路を切断する導電性の反転板とを有し，反転板は，第１の空間から第２の空間まで連通する微小孔が形成されているものであることを特徴とする密閉型電池である。
【００１０】
本発明に係る密閉型電池では，反転板に微小孔が形成されている。このため，通常時において，第１の空間の圧力が徐々に高くなったとしても，第１の空間から第２の空間へと，気体が微小孔を通って移動する。このため，第１の空間と第２の空間との差圧が大きくなることがない。これにより，通常時に，電流遮断機構が正常に作動しなくなるほどの疲労が，電流遮断機構の構成部材に蓄積することを防止することができる。よって，本発明に係る密閉型電池の電流遮断機構は，信頼性の高いものである。
【発明の効果】
【００１１】
本発明によれば，信頼性の高い電流遮断機構を有する密閉型電池が提供されている。
【図面の簡単な説明】
【００１２】
【図１】実施形態に係る電池の断面図である。
【図２】実施形態に係る電池の平面図である。
【図３】正極端子部の断面図である。
【図４】反転板の平面図である。
【図５】通常ガス発生時における微小孔の直径と電池の内圧との関係を示したグラフ図である。
【図６】内圧異常時における微小孔の直径とＣＩＤの作動圧との関係を示したグラフ図である。
【図７】反転板の変形例について説明するための図である。
【発明を実施するための形態】
【００１３】
以下，本発明を具体化した最良の形態について，図面を参照しつつ詳細に説明する。
【００１４】
図１は，本形態の電池１の概略構成を示した断面図である。また，図２には，電池１の平面図を示している。
【００１５】
本形態の電池１は，図１に示すように，電池ケース１０の内部に電極体２０および電解液３０を収容してなるものである。本形態の電解液３０は，非水溶媒にリチウム塩を溶解してなる非水電解液である。つまり，本形態の電池１は，リチウムイオン二次電池である。
【００１６】
電池ケース１０は，金属製のものであり，図１および図２に示すように扁平形状をしている。電池ケース１０は，図２に示すように，ケース本体１１と，ケース本体１１の上部の開口を塞いでいる蓋材１２とを有している。
【００１７】
電極体２０は，正負の電極板により構成されたものである。本形態の電極体２０は，集電箔に活物質層を形成してなる正極板および負極板を，これらの間にセパレーターを挟み込みつつ扁平形状に捲回してなるものである。電極体２０は，図２に示すように，中央に位置する中央部２１と，中央部２１の両端にそれぞれ位置する負極端部２２および正極端部２３とを有している。
【００１８】
電極体２０の中央部２１は，正極板および負極板のうちの集電箔上に活物質層が形成されてなる部分が，セパレーターを介して積層されている部分である。負極端部２２は，負極板のうちの，活物質層が形成されていない集電箔のみからなる部分である。正極端部２３は，正極板のうちの，活物質層が形成されていない集電箔のみからなる部分である。
【００１９】
また，電池１は，負極端子部４０および正極端子部５０を有している。負極端子部４０は，負極内部端子４１と，負極外部端子４２とを有している。負極内部端子４１は，電池ケース１０の内部に配置され，電極体２０の負極端部２２に接続されているものである。負極外部端子４２は，電池ケース１０の外部に露出する部分を有するものである。
【００２０】
正極端子部５０は，正極内部端子６０と，正極外部端子７０とを有している。正極内部端子６０は，電池ケース１０の内部に配置され，電極体２０の正極端部２３に接続されているものである。正極外部端子７０は，電池ケース１０の外部に露出する部分を有するものである。
【００２１】
また，負極内部端子４１および負極外部端子４２はともに，金属製であり，導電性を有するものである。さらに，負極内部端子４１と負極外部端子４２とは接続されている。このため，本形態の負極端子部４０は，常に，負極端子として機能できるものである。
【００２２】
正極内部端子６０および正極外部端子７０についても，ともに金属製であり，導電性を有するものである。また，正極内部端子６０と正極外部端子７０とは，反転部１００を介して接続されている。そして，本形態においては，正極内部端子６０と反転部１００とにより，電流遮断機構（ＣＩＤ：Ｃｕｒｒｅｎｔ  Ｉｎｔｅｒｒｕｐｔ  Ｄｅｖｉｃｅ）が構成されている。
【００２３】
ＣＩＤは，電池ケース１０の内部の空間であるケース空間Ｓの圧力が通常範囲内であるとき，電極体２０と正極外部端子７０との間に導電経路が形成された導通状態をとる。つまり，本形態の電池１では，ケース空間Ｓの圧力が通常範囲内であるとき，電極体２０と正極外部端子７０とは，正極内部端子６０および反転部１００を介して導通される。これにより，ケース空間Ｓの圧力が通常範囲内であるとき，正極端子部５０は，正極端子として機能できる。
【００２４】
一方，ＣＩＤは，電池１に異常が生じ，電池ケース１０のケース空間Ｓの圧力がＣＩＤの作動圧以上まで上昇してしまった場合に作動する。ＣＩＤの作動圧は，ケース空間Ｓの圧力の通常範囲の上限値よりも高い圧力である。このようなケース空間Ｓの圧力が上昇してしまう内圧異常は，電池１内部の電解液３０が加熱される等によって分解され，ガスが発生することにより生じることがある。そして，ＣＩＤは，内圧異常時に，その位置での導電経路を切断して導通を遮断する遮断状態をとる。これにより，本形態の電池１は，ケース空間Ｓの圧力がＣＩＤの作動圧以上まで上昇したとき，正極端子部５０が機能できないように構成されている。次に，正極端子部５０について詳細に説明する。
【００２５】
図３に，正極端子部５０の断面図を示す。図３は，正極端子部５０の，図２におけるＡ−Ａ断面図である。図３において，蓋材１２よりも上側が電池１の外部であり，蓋材１２よりも下側がケース空間Ｓである。また，図３は，ケース空間Ｓが通常範囲内の圧力である通常時を示すものである。このため，図３において，ＣＩＤは，作動しておらず，導通状態をとっている。
【００２６】
図３に示すように，反転部１００は，反転板１１０とホルダ１２０とにより構成されている。反転板１１０およびホルダ１２０はともに，金属製であり，導電性を有するものである。また，蓋材１２には，正極端子部５０の位置に貫通孔１３が形成されている。さらに，正極端子部５０の位置には，正極端子部５０と蓋材１２とを絶縁するため，第１絶縁部材１３０と第２絶縁部材１４０とが設けられている。
【００２７】
第１絶縁部材１３０は，図３に示すように，正極外部端子７０と蓋材１２との間に配置されている。第１絶縁部材１３０は，弾性と絶縁性とを有する樹脂材またはゴム等により形成されたものである。また，第１絶縁部材１３０は，蓋材１２の貫通孔１３の箇所が，貫通孔１３の内壁面に沿ってその内部に進入している。これにより，第１絶縁部材１３０は，正極外部端子７０と蓋材１２とを絶縁しているとともに，これらの間をシールしている。このため，電池１の内部は密閉されている。
【００２８】
第２絶縁部材１４０は，蓋材１２の電池１の内側に位置する内面に接触して設けられている。また，第２絶縁部材１４０は，絶縁性を有する樹脂材等により形成されたものである。これにより，反転部１００のホルダ１２０と蓋材１２とが絶縁されている。
【００２９】
反転部１００は，反転板１１０を正極内部端子６０側に，ホルダ１２０を正極外部端子７０側に向けた状態で配置されている。
【００３０】
ホルダ１２０には，図３に示すように，その正極内部端子６０側の面に開口する第１凹部１２１が形成されている。また，ホルダ１２０には，第１凹部１２１の底面に開口する第２凹部１２２が形成されている。第１凹部１２１および第２凹部１２２はともに，平面より見たときの形状が円形をしている凹部である。さらに，ホルダ１２０には，第２凹部１２２の底部１２３を貫通する貫通孔１２４が形成されている。
【００３１】
反転板１１０は，その平面図を図４に示すように，外形が円形の板部材である。また，反転板１１０は，外縁部分１１１と，外縁部分１１１に囲われた中央部分１１２とを有している。図３に示すように，外縁部分１１１は平坦であり，中央部分１１２は，外縁部分１１１よりも正極内部端子６０の側へと突出した湾曲形状をしている。
【００３２】
また，反転板１１０は，図３に示すように，ホルダ１２０の第１凹部１２１に嵌め込まれている。そして，反転板１１０の外縁部分１１１の径方向における外側の側面と，ホルダ１２０の第１凹部１２１の内壁面とは，１周，溶接されており，その位置で接合されている。
【００３３】
これにより，反転板１１０は，ホルダ１２０の第２凹部１２２の開口を塞いでいる。また，反転板１１０は，ホルダ１２０の第２凹部１２２の内部の空間をケース空間Ｓから区画し，凹部空間Ｔを形成している。つまり，反転板１１０は，ホルダ１２０の第２凹部１２２とともに凹部空間Ｔを形成している。
【００３４】
反転板１１０の中央部分１１２は，ケース空間Ｓの側からある一定以上の力を受けたときには，反対側，すなわち凹部空間Ｔ側に突出するように変形する反転が生じるものである。すなわち，反転板１１０は，ケース空間Ｓの圧力が反転板１１０の作動圧以上になった内圧異常時には，そのときのケース空間Ｓと凹部空間Ｔとの差圧により，反転が生じるものである。
【００３５】
さらに，本形態の反転板１１０の中央部分１１２には，厚み方向に貫通する微小孔１１５が形成されている。つまり，微小孔１１５は，ケース空間Ｓから凹部空間Ｔまで連通している。よって，本形態では，ケース空間Ｓ内の気体と凹部空間Ｔ内の気体とは，反転板１１０の微小孔１１５を通じ，ケース空間Ｓおよび凹部空間Ｔの一方から他方に移動することが可能である。
【００３６】
正極外部端子７０は，電池１の外側に露出している外側端部７１に，フランジ７２を有している。また，正極外部端子７０は，外側端部７１から蓋材１２の貫通孔１３，ホルダ１２０の貫通孔１２４を通ってホルダ１２０の凹部空間Ｔまで延びている。その正極外部端子７０の凹部空間Ｔ側の内側端部７３は，カシメられている。すなわち，正極外部端子７０の内側端部７３は，蓋材１２の貫通孔１３，ホルダ１２０の貫通孔１２４を通した後，カシメられ，直径が元よりも大きくされている。また，正極外部端子７０の内側端部７３は，カシメられていることにより，ホルダ１２０の底部１２３に接続されている。つまり，本形態において，ホルダ１２０は，正極外部端子７０と反転板１１０とを接続している接続部材である。
【００３７】
さらに，正極外部端子７０は，図３に示すように，外側端部７１のフランジ７２と，カシメられた内側端部７３とにより，第１絶縁部材１３０，蓋材１２，第２絶縁部材１４０，ホルダ１２０を挟み込んでいる。この正極外部端子７０の挟み込みにより，第１絶縁部材１３０，第２絶縁部材１４０，ホルダ１２０は，蓋材１２に固定されている。
【００３８】
また，正極外部端子７０には，外側端部７１から内側端部７３まで貫通する貫通孔７４が形成されている。正極外部端子７０の貫通孔７４には，封止部材１６０，封止板１７０が挿入されている。封止部材１６０は弾性を有するゴム製のものあり，封止板１７０は金属製のものである。また，封止部材１６０は，貫通孔７４の内側に張りだしているテーパ面７５と封止板１７０とにより挟み込まれている。さらに，封止板１７０は，貫通孔７４の内部に溶接等によって固定されている。これにより，正極外部端子７０の貫通孔７４は，封止部材１６０および封止板１７０によって塞がれている。
【００３９】
そして，正極外部端子７０の貫通孔７４が塞がれていることにより，ホルダ１２０の凹部空間Ｔは，電池１の外部と区画されている。これにより，湿気や液体等が正極外部端子７０の貫通孔７４を通じてホルダ１２０の凹部空間Ｔ内に入り込んでしまうことを防止し，反転板１１０が腐食等しないようにされている。
【００４０】
また，図３に示すように，正極内部端子６０は，接続部６１と，集電部６２とを有している。正極内部端子６０の接続部６１は，反転板１１０の中央部分１１２に対応する箇所に，貫通孔６５が形成されている。また，反転板１１０の中央部分１１２は，正極内部端子６０の接続部６１に接触するまで突出しており，反転板１１０の中央部分１１２と正極内部端子６０の接続部６１とは，接続部６１の貫通孔６５の内壁面に沿って溶接されている。これにより，正極内部端子６０は，反転板１１０に接続されている。なお，反転板１１０の微小孔１１５は，正極内部端子６０の接続部６１の貫通孔６５の内側に位置している。このため，反転板１１０の微小孔１１５は，正極内部端子６０により塞がれていない。
【００４１】
さらに，正極内部端子６０の接続部６１には，Ｖ字型をした切り込みであるノッチ６６が形成されている。ノッチ６６は，貫通孔６５を囲むように環状に形成されている。接続部６１のノッチ６６の形成箇所は，ノッチ６６が形成されていることにより，その他の部分よりも強度が低くされている。また，接続部６１のうちのノッチ６６に囲われている箇所を，分離部分６３としている。
【００４２】
なお，集電部６２の接続部６１側とは反対側は，電極体２０の正極端部２３に接合により接続されている（図１）。また，図３に示すように，反転板１１０の外縁部分１１１と正極内部端子６０との間には，第３絶縁部材１５０が挟み込まれている。第３絶縁部材１５０は，絶縁性を有する樹脂等により形成されている。この第３絶縁部材１５０により，反転板１１０の外縁部分１１１が正極内部端子６０に接触しないようになされている。
【００４３】
そして，前述したように，本形態の正極端子部５０においては，反転部１００と正極内部端子６０とにより，ＣＩＤ２００が構成されている。すなわち，ケース空間Ｓが通常範囲内の圧力であるときには，ＣＩＤ２００における反転板１１０と正極内部端子６０とが接続されていることにより，電極体２０の正極端部２３と正極外部端子７０との間には，導電経路が形成されている。
【００４４】
一方，ＣＩＤ２００では，内圧異常時には，反転板１１０に反転が生じ，反転板１１０の中央部分１１２がホルダ１２０の凹部空間Ｔ側に突き出た状態となる。このとき，中央部分１１２に接合されている正極内部端子６０の分離部分６３についても，反転が生じた反転板１１０の中央部分１１２により，ホルダ１２０の凹部空間Ｔ側へと引っ張られる。これにより，正極内部端子６０のノッチ６６の形成箇所が破断する。
【００４５】
つまり，分離部分６３が正極内部端子６０から分離し，分離した分離部分６３と正極内部端子６０との間には隙間が形成される。これにより，内圧異常時におけるＣＩＤ２００は，導通が遮断された遮断状態となる。すなわち，内圧異常時には，ＣＩＤ２００が作動し，電池１をそれ以上，充放電されない状態とすることができる。
【００４６】
ここで，電池１では，内圧異常が生じていない通常時にも，ケース空間Ｓの圧力が通常範囲内において上昇することがある。電池１のケース空間Ｓでは，通常時においても，ガスが徐々に発生することがあるからである。なお，この通常ガス発生時における内圧上昇の程度は，通常範囲内であるため，ＣＩＤ２００の作動圧よりも低いものである。そして，電池１の内部でガスが徐々に発生した場合，ケース空間Ｓの圧力は，徐々に上昇することとなる。
【００４７】
しかし，前述したように，反転板１１０には，微小孔１１５が形成されている。このため，ケース空間Ｓの圧力が凹部空間Ｔの圧力に対して高くなった場合，ケース空間Ｓの気体は，より圧力の低い凹部空間Ｔへと，微小孔１１５を通じて移動する。なお，微小孔１１５を通ってケース空間Ｓから凹部空間Ｔへと移動する気体の移動速度は，それほど速いものではない。しかし，通常ガス発生時において，ケース空間Ｓの圧力は，徐々に上昇するものであり，急激に上昇することはない。
【００４８】
このため，本形態の電池１では，通常ガス発生時において，ケース空間Ｓと凹部空間Ｔとの差圧が大きくなってしまうことはない。これにより，本形態の電池１では，通常ガス発生時において，反転板１１０に，ケース空間Ｓ側から力が掛かることが抑制されている。
【００４９】
ところで，通常ガス発生時において，ケース空間Ｓ側より反転板１１０に力がかかった場合，反転板１１０は，反転に至らないまでも，凹部空間Ｔ側へと撓むこととなる。さらに，反転板１１０が凹部空間Ｔ側へと撓んでいる場合，反転板１１０に接合されている正極内部端子６０のノッチ６６の形成箇所に，負荷がかかることとなる。正極内部端子６０の分離部分６３が，撓んだ反転板１１０によって，凹部空間Ｔ側へと引っ張られるからである。また，正極内部端子６０のノッチ６６の形成箇所では，その他の箇所よりも強度が低くされているからである。そして，正極内部端子６０のノッチ６６の形成箇所に疲労が蓄積してしまった場合には，ノッチ６６の形成箇所が，内圧異常に至る前，すなわち，ケース空間Ｓが通常範囲内の圧力であるときに破断してしまうおそれがある。つまり，通常ガス発生時に反転板１１０の撓みが生じている場合には，ＣＩＤ２００が正常に作動しなくなるおそれがある。
【００５０】
しかし，本形態では，通常ガス発生時に，反転板１１０が凹部空間Ｔ側へと撓んでしまうことが抑制されている。このため，通常ガス発生時において，正極内部端子６０のノッチ６６の形成箇所に，疲労が蓄積してしまうことが抑制されている。よって，本形態では，正極内部端子６０のノッチ６６の形成箇所に，ＣＩＤ２００が正常に作動しなくなるほどの疲労が蓄積されてしまうことが防止されている。これにより，本形態の電池１のＣＩＤ２００は，信頼性の高いものである。
【００５１】
なお，ケース空間Ｓにおいてガスが急激に発生する電池１の内圧異常時には，ケース空間Ｓの圧力が，ＣＩＤ２００の作動圧以上まで急激に上昇する。この内圧異常時には，反転板１１０の微小孔１１５を通ってケース空間Ｓから凹部空間Ｔへと気体がわずかに移動したとしても，ケース空間Ｓと凹部空間Ｔとの差圧は，急激に大きくなる。よって，本形態の電池１では，内圧異常時には，反転板１１０が反転し，ＣＩＤ２００が正常に作動する。
【００５２】
また，反転板１１０の微小孔１１５が小さすぎることは好ましくない。反転板１１０の微小孔１１５が小さすぎる場合，微小孔１１５における気体の移動速度が遅く，通常ガス発生時におけるケース空間Ｓと凹部空間Ｔとの差圧の上昇を，適切に抑制することができないからである。
【００５３】
図５は，通常ガス発生時における，反転板１１０の微小孔１１５の直径と電池１の内圧との関係を示す図である。図５は，それぞれ微小孔１１５の直径が異なる反転板１１０を有する電池１を作製し，その電池１のケース空間Ｓの圧力を測定することで取得したものである。具体的には，作製した電池１のＳＯＣを６０％に調整し，８０℃の環境下で３０日間，内圧異常を生じさせずに保存した後，ケース空間Ｓの圧力を測定することにより取得したものである。
【００５４】
図５に示すように，電池１の内圧は，反転板１１０の微小孔１１５の直径が小さいほど，高くなる傾向であることがわかる。このため，反転板１１０の微小孔１１５の直径が小さいほど，通常ガス発生時におけるケース空間Ｓと凹部空間Ｔとの差圧が大きくなり，反転板１１０の撓みは大きくなるものと考えられる。つまり，反転板１１０の微小孔１１５の直径が小さいほど，正極内部端子６０のノッチ６６の形成箇所に，疲労がより蓄積されるものと考えられる。
【００５５】
そして，図５には，反転板１１０や正極内部端子６０のノッチ６６の形成箇所への疲労の蓄積を適切に抑制することのできる電池１の内圧を，通常上限内圧Ｐ１として示している。本形態では，通常上限内圧Ｐ１を，０．４［ＭＰａ］としている。また，図５より，通常ガス発生時において，電池１の内圧を通常上限内圧Ｐ１以下に抑制することのできる反転板１１０の微小孔１１５の直径は，１［μｍ］以上であることがわかる。すなわち，反転板１１０の微小孔１１５の直径を１［μｍ］以上とすることにより，通常ガス発生時において，正極内部端子６０のノッチ６６の形成箇所への疲労の蓄積を適切に抑制することができることがわかる。
【００５６】
また，直径が１μｍの微小孔１１５の径方向についての面内における面積は，０．２５π［μｍ２］である。すなわち，反転板１１０の微小孔１１５は，そのケース空間Ｓと凹部空間Ｔとの間の気体の移動方向に直交する面内における面積が，０．２５π［μｍ２］以上であることが好ましい。
【００５７】
また，反転板１１０の微小孔１１５が大きすぎることは好ましくない。反転板１１０の微小孔１１５が大きすぎる場合，内圧異常時に，ケース空間Ｓと凹部空間Ｔとの差圧が適切に上昇せず，ＣＩＤ２００の作動圧を適切なものとすることができないからである。
【００５８】
図６は，内圧異常時における，反転板１１０の微小孔１１５の直径とＣＩＤ２００の作動圧との関係を示す図である。図６は，それぞれ微小孔１１５の直径が異なる反転板１１０を有する電池１を作製し，その電池１の内圧異常時におけるＣＩＤ２００の作動圧を測定することで取得したものである。具体的には，作製した電池１のＳＯＣを１００％に調整し，６０℃の環境下で内圧異常が生じる程度のガスを発生させ，ＣＩＤ２００が作動したときのケース空間Ｓの圧力を測定することにより取得したものである。
【００５９】
図６に示すように，ＣＩＤ２００の作動圧は，反転板１１０の微小孔１１５の直径が大きいほど，高くなる傾向であることがわかる。このため，反転板１１０の微小孔１１５の直径が大きいほど，ＣＩＤ２００が作動したときの電池１の内圧が高く，内圧異常が生じたときからＣＩＤ２００が作動するまでの時間が長くなってしまうことがわかる。
【００６０】
そして，図６には，内圧異常時に適切にＣＩＤ２００を作動させることのできる作動圧の上限値を，上限作動圧Ｐ２として示している。また，図６を用いることにより，内圧異常時において，ＣＩＤ２００の作動圧を上限作動圧Ｐ２以下にすることのできる反転板１１０の微小孔１１５の直径を設定することができる。
【００６１】
例えば，上限作動圧Ｐ２は，０．８［ＭＰａ］に設定することができる。そして，上限作動圧Ｐ２を０．８［ＭＰａ］に設定した場合，図６より，反転板１１０の微小孔１１５の直径は，２０［μｍ］以下とすればよいことがわかる。すなわち，反転板１１０の微小孔１１５の直径を２０［μｍ］以下とすることにより，内圧異常の発生時に，電池１の内圧が，上限作動圧Ｐ２の設定値である０．８［ＭＰａ］よりも高くなる前にＣＩＤ２００を作動させ，電池１の充放電を停止できることがわかる。なお，図６には，上限作動圧Ｐ２を０．８［ＭＰａ］に設定した例について示しているが，上限作動圧Ｐ２は０．８［ＭＰａ］以外の値に設定することもできる。
【００６２】
また，直径が２０μｍの微小孔１１５の径方向についての面内における面積は，１００π［μｍ２］である。すなわち，上限作動圧Ｐ２を０．８［ＭＰａ］に設定した場合，反転板１１０の微小孔１１５は，そのケース空間Ｓと凹部空間Ｔとの間の気体の移動方向に直交する面内における面積を，１００π［μｍ２］以下とすればよいことがわかる。
【００６３】
また，上記の電池１では，ＣＩＤ２００の反転板１１０が，図４に示すように，微小孔１１５が１つ，形成されているものとして説明している。しかし，ＣＩＤ２００には，図４に示す反転板１１０に替えて，図７に示す反転板２１０を用いることもできる。
【００６４】
図７に示す反転板２１０についても，外縁部分２１１と外縁部分２１１に囲われた中央部分２１２とを有している。反転板２１０についても，その中央部分２１２が，反転板１１０と同様，外縁部分２１１より突出しているものである。そして，反転板２１０は，反転板１１０とは異なり，中央部分２１２に微小孔２１５が複数，形成されている。具体的には，反転板２１０は，微小孔２１５が５つ，形成されている。
【００６５】
よって，反転板２１０を反転板１１０に替えて用いた場合にも，通常ガス発生時において，正極内部端子６０のノッチ６６の形成箇所に疲労が蓄積されてしまうことを抑制することができる。このため，反転板２１０を用いた場合にも，電池１のＣＩＤ２００を，信頼性の高いものとすることができる。
【００６６】
そして，反転板２１０においても，５つの微小孔２１５は，そのケース空間Ｓと凹部空間Ｔとの間の気体の移動方向に直交する面内における面積の合計が，０．２５π［μｍ２］以上であることが好ましい。通常ガス発生時に，正極内部端子６０のノッチ６６の形成箇所への疲労の蓄積を適切に抑制することができるからである。
【００６７】
また，反転板２１０においても，上限作動圧Ｐ２を０．８［ＭＰａ］に設定した場合，５つの微小孔２１５は，そのケース空間Ｓと凹部空間Ｔとの間の気体の移動方向に直交する面内における面積の合計が，１００π［μｍ２］以下となるようにすればよい。内圧異常の発生時に，電池１の内圧が，上限作動圧Ｐ２の設定値である０．８［ＭＰａ］よりも高くなる前にＣＩＤ２００を作動させ，電池１の充放電を停止できるからである。
【００６８】
以上詳細に説明したように，本実施の形態の電池１は，正極端子部５０に，電極体２０から正極外部端子７０までの間に設けられたＣＩＤ２００を有している。ＣＩＤ２００は，電極体２０に接続されている正極内部端子６０と，反転部１００とを有している。反転部１００は，ホルダ１２０と反転板１１０により構成されている。ホルダ１２０は，正極外部端子７０に接続されているとともに，電池ケース１０の内部で開口する第１凹部１２１，第１凹部１２１の底面に開口する第２凹部１２２が形成されている。反転板１１０は，第１凹部１２１に嵌め込まれ，第２凹部１２２の開口を塞いで，第２凹部１２２とともに凹部空間Ｔを形成している。さらに，反転板１１０は，通常時には，凹部空間Ｔからケース空間Ｓへ向かう向きに，正極内部端子６０に接触するまで突出している中央部分１１２が形成されている。これにより，通常時のＣＩＤ２００は，電極体２０から正極外部端子７０までの間に導電経路が形成された導通状態をとる。一方，反転板１１０は，内圧異常時には，中央部分１１２がケース空間Ｓから凹部空間Ｔへ向かう向きに変形する反転が生じる。これにより，正極内部端子６０の分離部分６３が分離し，導電経路が切断され，ＣＩＤ２００は，その位置で導通が遮断された遮断状態をとる。そして，反転板１１０は，ケース空間Ｓから凹部空間Ｔまで連通する微小孔１１５が形成されている。これにより，通常ガス発生時において，ＣＩＤ２００の構成部材に疲労が蓄積されてしまうことが抑制されている。よって，信頼性の高い電流遮断機構を有する密閉型電池が実現されている。
【００６９】
なお，本実施の形態は単なる例示にすぎず，本発明を何ら限定するものではない。従って本発明は当然に，その要旨を逸脱しない範囲内で種々の改良，変形が可能である。例えば，上記の実施形態では，リチウムイオン二次電池である電池１について説明したが，その他のＣＩＤを有する密閉型電池にも適用することができる。
【００７０】
また，電池１は，上記の構成に加えて，ケース空間Ｓの圧力が所定の開放圧以上となったときに開放し，電池ケース１０内の気体を外部に排出することのできる安全弁を有するものであってもよい。このような安全弁を設ける場合には，安全弁の開放圧を，ＣＩＤ２００の作動圧よりも高い圧力に設定しておけばよい。
【００７１】
また，反転板に形成されている微小孔は，そのケース空間Ｓと凹部空間Ｔとの間の気体の移動方向に直交する面内における形状が，円形に限られるものではない。すなわち，例えば，三角形でも，四角形でもよい。また，微細孔は，反転板の中央部分に限らず，外縁部分に設けることもできる。また例えば，正極外部端子や正極内部端子等はそれぞれ，１つの部材だけでなく，複数の部材により構成されていてもよい。
【符号の説明】
【００７２】
１  電池
１０  電池ケース
１１  ケース本体
１２  蓋材
２０  電極体
３０  電解液
５０  正極端子部
６０  正極内部端子
７０  正極外部端子
１００  反転部
１１０  反転板
１１１  外縁部分
１１２  中央部分
１１５  微小孔
１２０  ホルダ
１２１  第１凹部
１２２  第２凹部
２００  ＣＩＤ
Ｓ  ケース空間
Ｔ  凹部空間
【図１】
2017152234.tif 000003
【図２】
2017152234.tif 000004
【図３】
2017152234.tif 000005
【図４】
2017152234.tif 000006
【図５】
2017152234.tif 000007
【図６】
2017152234.tif 000008
【図７】
2017152234.tif 000009